(57)【要約】【課題】使用者が携帯する電子機器は、長時間使用することが望まれ、そのために大容量のバッテリーを内蔵させればよい。電子機器に大容量のバッテリーを内蔵させると大容量のバッテリーは大きく、重量がかさむ問題がある。また、体内に埋め込んで使用する電子機器において、非常用電源を備えた電子機器を提供する。【解決手段】電子機器に複数のバッテリーを設け、異なるバッテリー間で無線充電を行う送信部及び受信部を有し、電源管理回路によって臨機応変に充電または使用するバッテリーを選択する。【選択図】図１
2019193567.tif 000002
【特許請求の範囲】
【請求項１】
中央演算処理部と、表示部と、受信部と、送信部と、電源管理回路とを有する電子機器であり、
前記中央演算処理部は、第１のバッテリーと第１の受信部と第１の送信部とを有し、
前記第１の受信部は、前記第１のバッテリーに無線充電することができる機能を有し、
前記表示部は、第２のバッテリーと第２の受信部と第２の送信部を有し、
前記第２の受信部は、前記第２のバッテリーに無線充電することができる機能を有し、
前記受信部は、第３のバッテリーと第３の受信部と第３の送信部を有し、
前記第３の受信部は、前記第３のバッテリーに無線充電することができる機能を有し、
前記電源管理回路は、前記第１のバッテリー、前記第２のバッテリー、または、前記第３のバッテリーの少なくとも一つの電力を、前記第１のバッテリー、前記第２のバッテリーまたは前記第３のバッテリーのいずれかに無線充電することができる機能を有することを特徴とする電子機器。
【発明の詳細な説明】
【技術分野】
【０００１】
本発明の一様態は、物、方法、又は、製造方法に関する。または、本発明は、プロセス、
マシン、マニュファクチャ、又は、組成物（コンポジション・オブ・マター）に関する。
本発明の一態様は、半導体装置、表示装置、発光装置、蓄電装置、照明装置、電子機器、
またはそれらの製造方法に関する。特に、電子機器およびそのオペレーションシステムに
関する。
【０００２】
なお、本明細書中において電子機器とは、二次電池を有する装置全般を指し、二次電池
を有する電気光学装置、二次電池を有する情報端末などは全て電子機器である。
【背景技術】
【０００３】
使用者が携帯する電子機器や、使用者が装着する電子機器が盛んに開発されている。
【０００４】
使用者が携帯する電子機器や、使用者が装着する電子機器は、バッテリーを電源として動
作するため、消費電力を極力抑えている。特に電子機器にＣＰＵ（Ｃｅｎｔｒａｌ  Ｐｒ
ｏｃｅｓｓｉｎｇ  Ｕｎｉｔ）が含まれている場合、ＣＰＵは動作時に多くの電力を消費
するため、ＣＰＵの処理は消費電力に大きな影響を与える。
【０００５】
プラスチックもしくはプラスチックフィルム基板に高機能集積回路（ＣＰＵなど）を有し
、無線で電力または信号の送受信を行う半導体装置が、特許文献１に記載されている。
【先行技術文献】
【特許文献】
【０００６】
【特許文献１】特開２００６−３２９２７号公報
【発明の概要】
【発明が解決しようとする課題】
【０００７】
使用者が携帯する電子機器は、長時間使用することが望まれ、そのために大容量のバッテ
リーを内蔵させればよい。電子機器に大容量のバッテリーを内蔵させると大容量のバッテ
リーは大きく、重量がかさむ問題がある。そこで携帯する電子機器に内蔵できる小型で大
容量のバッテリーの開発が進められている。なお、本明細書において、電子機器に内蔵と
いう定義は、取り外して交換できないように内蔵することは言うまでもなく、バッテリー
パックなどとして自由に取り外しできるものも内蔵と呼ぶ。
【０００８】
また、あるＣＰＵを含む電子機器における消費電力の詳細を説明する。消費電力は、大き
く分けてＣＰＵによって消費される電力、ＣＰＵ周辺のシステムによって消費される電力
、電子機器の内外に接続された複数の入出力機器および周辺機器によって消費される電力
、とに分けることができる。ＣＰＵ周辺のシステムによって消費される電力には、コンバ
ータでのロス、配線パターンでのロス、及びバスやコントローラなどでの消費電力などが
含まれる。
【０００９】
また、電子機器が小型化、薄型化すると、バッテリーもその制限を受ける。しかし、バッ
テリーは体積が小さくなると、容量が小さくなってしまう。従って、より小さなスペース
に回路やバッテリーなどを収納することとなる。
【００１０】
また、バッテリーは、充電または放電によって発熱し、周囲に熱的影響を及ぼす恐れがあ
る。
【００１１】
電子機器が小型化して、より小さなスペースに回路やバッテリーなどを収納するに従って
、消費電力と発熱をどう制御するかが、課題の一つとなっている。
【００１２】
また、新規な構造の電子機器を提供する。具体的には、さまざまな外観形状にすることが
できる新規な構造の電子機器を提供する。より具体的には、体に装着して使用するウェア
ラブル型電子機器や、体内に埋め込んで使用する電子機器を提案する。
【００１３】
特に、体内に埋め込んで使用する電子機器が何かの原因でバッテリーが破壊、消耗してし
まった場合には使用者に甚大な被害が及ぶ危険性がある。
【００１４】
従って、使用者が携帯する電子機器、体に装着して使用するウェアラブル型電子機器、体
内に埋め込んで使用する電子機器において、非常用電源を備えた電子機器を提供する。
【００１５】
なお、これらの課題の記載は、他の課題の存在を妨げるものではない。なお、本発明の一
態様は、必ずしも、これらの課題の全てを解決する必要はない。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１６】
電子機器に使用する部品ごとにバッテリーを設け、複数の電源を有する電子機器とする。
複数の電源を有する電子機器として、使用する部品のみを選択的に駆動させるオペレーシ
ョンシステムにより、省電力化を図ることができる。
【００１７】
また、電子機器は、上記複数の電源を管理するための電源管理回路（電源監視回路を含む
）を有する。
【００１８】
本明細書で開示する構成は、中央演算処理部と、表示部と、受信部と、を有する電子機器
であって、中央演算処理部は、第１のバッテリーと第１の受信部とを有し、第１の受信部
は、第１のバッテリーに無線充電することができる機能を有し、表示部は、第２のバッテ
リーと第２の受信部とを有し、第２の受信部は、第２のバッテリーに無線充電することが
できる機能を有し、受信部は、第３のバッテリーと第３の受信部とを有し、第３の受信部
は、第３のバッテリーに無線充電することができる機能を有することを特徴とする電子機
器である。
【００１９】
また、複数のバッテリー間で送受信可能な電子機器としてもよく、本明細書で開示する構
成は、中央演算処理部と、表示部と、受信部と、送信部と、電源管理回路とを有する電子
機器であり、中央演算処理部は、第１のバッテリーと第１の受信部と第１の送信部とを有
し、第１の受信部は、前記第１のバッテリーに無線充電することができる機能を有し、表
示部は、第２のバッテリーと第２の受信部と第２の送信部を有し、第２の受信部は、第２
のバッテリーに無線充電することができる機能を有し、受信部は、第３のバッテリーと第
３の受信部と第３の送信部を有し、第３の受信部は、第３のバッテリーに無線充電するこ
とができる機能を有し、電源管理回路は、第１のバッテリーの電力を第１の送信部から第
２のバッテリーまたは第３のバッテリーに無線充電することができる機能を有することを
特徴とする電子機器である。
【００２０】
なお、それぞれのバッテリーには、それぞれ無線充電ができるように回路が接続されてお
り、少なくとも各二次バッテリーは、それぞれのレギュレータを介してそれぞれの無線受
信部と電気的に接続される構成とする。
【００２１】
レギュレータとは、電子回路の一種であり、出力される電圧または電流を常に一定に保つ
ように制御する回路のことである。レギュレータは、電力負荷の程度などによって、リニ
アレギュレータとスイッチングレギュレータの２種類に分類される。なお、スイッチング
レギュレータはＤＣＤＣコンバータとも呼ばれる。
【００２２】
さらに、あるバッテリーの電力を他のバッテリーに充電できる送信部をそれぞれ有してい
てもよい。また、それぞれのバッテリーの電力量を管理する電源管理回路は、定期的また
は常時にそれぞれのバッテリーの残量データを取得し、電力の調節を適宜行う。
【００２３】
例えば、携帯電話や、スマートフォンなどの情報端末において、１つの電源を有している
デバイスは、その１つの電源をオフ状態にすると全部の機能が停止するが、電源をつけて
いる状態では、使っていない機能回路があっても待機状態であるので電力がわずかながら
も消費されてしまう。使っていない機能回路があれば、その使っていない機能回路とバッ
テリーの電気的接続をオフ状態とし、その分の消費電力を節約することができる。例えば
、情報端末の表示部に静止画のみを表示させる場合、使っていないＣＰＵをオフ状態とす
るためにＣＰＵ用のバッテリーとの接続をオフ状態とし、使っている表示部の静止画を表
示するために駆動する回路用のバッテリーのみを使用する。この場合、この情報端末は、
静止画を表示しているもののＣＰＵは動作させておらず、外から見てＣＰＵの消費電力は
ゼロとみなすこともできる。
【００２４】
このように、電子機器内の複数のバッテリーの中から使用する部品に対応するバッテリー
を適宜選択し、制御するオペレーションシステムにより、使用するバッテリーを決定し、
使用しないバッテリーの電力消費を抑えることで、１回の充電あたりの情報端末の使用可
能な時間を延長することができる。オペレーションシステムに関する本発明の構成は、第
１のバッテリーと、第２のバッテリーと、第３のバッテリーと、第１乃至第３のバッテリ
ーを管理する電源管理回路とを有し、無線を用いて、電源管理回路は、第１のバッテリー
から第２バッテリーまたは第３のバッテリーに電力を供給するオペレーションシステムで
ある。また、第１のバッテリーと、第２のバッテリーと、第３のバッテリーと、第１乃至
第３のバッテリーを管理する制御部とを有し、無線を用いて、第１、第２、及び第３のバ
ッテリーに、同時に充電を行うオペレーションシステムとしてもよい。
【００２５】
さらに、電源管理回路によって、使用したい機能に接続されているバッテリーに他の使用
していない機能に接続されている他のバッテリーから電力を供給するように制御してもよ
い。電子機器内の複数のバッテリーの中から使用する部品に対応するバッテリーを適宜選
択し、それぞれのバッテリーの電力量を調節するオペレーションシステムにより、使用す
る機能の使用可能な時間を延長することができる。また、電源管理回路によって、いずれ
かのバッテリーを非常用電源として確保しておけば、電子機器を非常時に使用できるよう
にすることもできる。例えば、携帯電話などにおいては電源をオンすると表示部に画像を
表示させるため、その表示部に画像を表示する電力がなければ電話を掛けることができな
い場合がある。複数のバッテリーを有する電子機器とし、電源管理回路によって、あるバ
ッテリーを非常用電源として確保しておき、表示部への電力供給をオフ状態とし、通信機
能のみにその非常用電源を使用できるようにしておけば、表示部に画像を表示させること
なく通話が可能である。
【００２６】
また、電子機器内部に小型のバッテリーを点在させ、外装体をフレキシブルな材料とすれ
ば、複雑な外観形状を有するフレキシブルなデバイスを実現できる。
【００２７】
また、体に装着して使用するウェアラブル型電子機器において、小型のバッテリーを電子
機器内に点在させて配置することにより、一つの大きなバッテリーを有する電子機器より
も重量感を軽減することができる。また、個々の小型のバッテリーが発熱しても使用者の
装着感を阻害しない。
【００２８】
また、人工臓器においても小型のバッテリーを電子機器内に点在させて配置することによ
り、形状に自由度を与えることができる。また、外装体をフレキシブルな材料とすれば、
フレキシブルな人工臓器を実現できる。フレキシブルな人工臓器とする場合、一つのバッ
テリーとするよりも複数のバッテリーに分けるほうが、曲がりやすい構成とする設計がで
きる。また、バッテリー１つとした場合よりも薄い人工臓器の外形形状を実現させる、或
いは小型化を図ることもできる。また、人工臓器の内部に点在させて配置したそれぞれの
バッテリーに無線充電できるようにすれば、電池が切れる前に定期的に人工臓器の摘出及
び埋め込みを繰り返す回数を低減できる。
【００２９】
また、ペースメーカーや、人工内耳などの人工臓器においては、皮膚に埋め込んだ後に、
その人工臓器を埋め込んだ部分が盛り上がってしまい、皮膚が引っ張られ不自然な状態と
なりやすく、このような外見を気にする使用者も少なくない。従って、人工臓器の面積が
大きくなっても薄いほうがよく、小型のバッテリーを人工臓器内に点在させて配置するこ
とで、皮膚に埋め込んだ後、その部分が盛り上がることを抑えることは有用である。
【００３０】
また、人工臓器などのように何かの原因でバッテリーが破壊、消耗してしまった場合には
使用者に甚大な被害が及ぶ危険性があるため、非常用電源を有していることは有用である
。人工臓器に複数のバッテリーを設け、それらを管理するための電源管理回路によって使
用できないバッテリー以外のバッテリーを用いて外部（例えば使用者の情報端末）に緊急
信号などを送信できることが望ましい。バッテリーに異常があるかどうかは判断しにくく
、あるバッテリーを非常用電源にすることを決定した人工臓器とする場合、そのバッテリ
ーが使えなくなってしまうと非常用電源の意味をなさなくなる恐れがある。電源管理回路
によって異常のあるバッテリーを特定してそのバッテリーからの電力供給を停止し、他の
バッテリーを非常用電源として選択し、緊急信号などを送信することは有用である。即ち
、電源管理回路によって臨機応変に使用するバッテリーを選択することが有用である。勿
論、使用者が電源管理回路に命令をして使用するバッテリーを選択することもできる。
【００３１】
また、曲面や、複雑な形状を有する電子機器の場合、大型のバッテリーを一つ使用する場
合、そのバッテリーの配置に制限があり、大型のバッテリーによってデザイン性が損なわ
れる恐れがある。特にウェアラブルな電子機器、例えば腕に巻くような薄型の電子機器の
場合、大型のバッテリーを曲げることは困難である。複数の小型バッテリーを腕に巻くよ
うな薄型の電子機器に点在して配置すれば、個々の小型バッテリーを曲げることなく薄型
の電子機器に搭載することができる。また、ウェアラブルな電子機器は肌にも近いため、
大型のバッテリーで発熱がある場合、使用者が違和感を覚える恐れがあるが、小型のバッ
テリーを点在させて配置すれば、一つ当たりの発熱量を抑えることもできる。また、小型
のバッテリーを点在させて配置すれば、爆発などの危険性を抑えることができ、大型のバ
ッテリーよりも安全性も高い。
【００３２】
電子機器を携帯していて使用者が落下させた場合、大型のバッテリーが一つであると、そ
のバッテリーの破損により電子機器の全機能が使用できなくなる。複数の小型のバッテリ
ーを用いる場合、小型のバッテリーの一つが破損しても、すくなくとも一つの小型バッテ
リーが使用できれば、一部の機能が使用できる。このように、部品ごとに小型バッテリー
を設けて複数の小型バッテリーを有する電子機器は、一部が壊れても一部使用できるため
、壊れにくい電子機器を実現できる。
【００３３】
また、小型のバッテリーの一つが破損または電力量がゼロとなっても電源管理回路によっ
て、他のバッテリーで代用することで電子機器を使用することができる。また、小型のバ
ッテリーの一つの電力量がゼロとなっても電源管理回路によって、他のバッテリーに接続
された送信部から無線充電によって電力を供給して充電し、長時間の使用を可能とするこ
とができる。即ち、互いのバッテリーの電力を相互に供給しうる電源管理回路を有する電
子機器を実現できる。
【００３４】
また、バッテリーは充電を繰り返す回数で劣化が進むデバイスである。電源管理回路によ
って充電する回数を調節または使用するバッテリーを適宜選択することによって、バッテ
リーの使用期間を延長させることができる。また、バッテリーの劣化の程度も電源管理回
路によって監視し、そのバッテリーの劣化の程度に合わせて電源管理回路が適宜使用する
バッテリーを選択することによっても電子機器の使用期間を延長させることができる。
【００３５】
また、電子機器内に設けた複数の小型バッテリーは、少なくとも一つは、二次電池とし、
無線充電が可能なものを用いることが好ましい。
【００３６】
二次電池としては、リチウムポリマー電池などのリチウムイオン二次電池、リチウムイオ
ンキャパシタ、電気二重層キャパシタ、レドックスキャパシタのいずれか一、または複数
種用いることができる。電子機器は、無線により電力を受電するアンテナと、受電された
電力を機能回路に供給する制御手段とを有している。
【００３７】
また、電子機器に含まれるアンテナは、非接触充電機能を実現する通信モジュールを構成
する。通信モジュールは、Ｑｉ（チー）またはＰｏｗｅｒｍａｔのような規格に対応する
充電方式を用いてもよい。また、充電する際には、複数のバッテリーに対して同時に充電
するように制御してもよい。また、電子機器に含まれるアンテナは、近距離無線通信機能
実現する通信モジュールを構成してもよい。
【００３８】
また、小型のバッテリーを電子機器内に点在させて配置する電子機器にＭＥＭＳを組み合
わせることができる。例えば、ＭＥＭＳを用いたセンサと検出回路とに供給する小型バッ
テリーと、ＣＰＵに供給する小型バッテリーと、センサで検出したデータを記憶するメモ
リに供給する小型バッテリーとを有する電子機器を実現できる。
【００３９】
また、電子機器に複数種のセンサを搭載する場合、使用する部品ごとにバッテリーを設け
るため、使用者が使用したいセンサを選択的に搭載、または脱着を行うことができる。例
えば、腕に装着する電子機器に脈拍センサ、温度センサ、位置情報検出センサ（ＧＰＳな
ど）、加速度センサ、及び角速度センサなどが制御できる制御回路と、これらを接続する
ための接続部（接続用ソケット）を設けておけば、使用者が使いたい機能に合わせてセン
サを選択し、そのセンサを電子機器に接続すればよい。この場合、それぞれのセンサに小
型バッテリーとレギュレータを有しており、多くの機能を使用すればするほど多くの小型
バッテリーが接続され、複数の小型バッテリーを有する電子機器となる。
【００４０】
また、レギュレータに用いるトランジスタとして酸化物半導体層を用いるトランジスタ（
ＯＳトランジスタとも呼ぶ）を用いると、オフ電流が小さいため、省電力化を図ることが
できる。特に、ＯＳトランジスタで制御回路が構成されたレギュレータ（ＤＣ−ＤＣコン
バータ）は、１５０℃以上の高温下でも動作可能である。よって、このようなＤＣ−ＤＣ
コンバータは、動作時に温度が上昇する可能性が高い電子機器に好適である。
【００４１】
ＯＳトランジスタのチャネル形成領域となる酸化物半導体層に用いる酸化物半導体として
は、少なくともインジウム（Ｉｎ）または亜鉛（Ｚｎ）を含むことが好ましい。特にＩｎ
及びＺｎを含むことが好ましい。また、それらに加えて、酸素を強く結びつけるスタビラ
イザーを有することが好ましい。スタビライザーとしては、ガリウム（Ｇａ）、スズ（Ｓ
ｎ）、ジルコニウム（Ｚｒ）、ハフニウム（Ｈｆ）及びアルミニウム（Ａｌ）の少なくと
もいずれかを有すればよい。
【００４２】
また、他のスタビライザーとして、ランタノイドである、ランタン（Ｌａ）、セリウム（
Ｃｅ）、プラセオジム（Ｐｒ）、ネオジム（Ｎｄ）、サマリウム（Ｓｍ）、ユウロピウム
（Ｅｕ）、ガドリニウム（Ｇｄ）、テルビウム（Ｔｂ）、ジスプロシウム（Ｄｙ）、ホル
ミウム（Ｈｏ）、エルビウム（Ｅｒ）、ツリウム（Ｔｍ）、イッテルビウム（Ｙｂ）、ル
テチウム（Ｌｕ）のいずれか一種または複数種を有してもよい。
【００４３】
ＯＳトランジスタの酸化物半導体層は、以下の酸化物から形成することができる。例えば
、酸化インジウム、酸化スズ、酸化亜鉛、Ｉｎ−Ｚｎ系酸化物、Ｓｎ−Ｚｎ系酸化物、Ａ
ｌ−Ｚｎ系酸化物、Ｚｎ−Ｍｇ系酸化物、Ｓｎ−Ｍｇ系酸化物、Ｉｎ−Ｍｇ系酸化物、Ｉ
ｎ−Ｇａ系酸化物、Ｉｎ−Ｇａ−Ｚｎ系酸化物（ＩＧＺＯとも表記する）、Ｉｎ−Ａｌ−
Ｚｎ系酸化物、Ｉｎ−Ｓｎ−Ｚｎ系酸化物、Ｓｎ−Ｇａ−Ｚｎ系酸化物、Ａｌ−Ｇａ−Ｚ
ｎ系酸化物、Ｓｎ−Ａｌ−Ｚｎ系酸化物、Ｉｎ−Ｈｆ−Ｚｎ系酸化物、Ｉｎ−Ｚｒ−Ｚｎ
系酸化物、Ｉｎ−Ｔｉ−Ｚｎ系酸化物、Ｉｎ−Ｓｃ−Ｚｎ系酸化物、Ｉｎ−Ｙ−Ｚｎ系酸
化物、Ｉｎ−Ｌａ−Ｚｎ系酸化物、Ｉｎ−Ｃｅ−Ｚｎ系酸化物、Ｉｎ−Ｐｒ−Ｚｎ系酸化
物、Ｉｎ−Ｎｄ−Ｚｎ系酸化物、Ｉｎ−Ｓｍ−Ｚｎ系酸化物、Ｉｎ−Ｅｕ−Ｚｎ系酸化物
、Ｉｎ−Ｇｄ−Ｚｎ系酸化物、Ｉｎ−Ｔｂ−Ｚｎ系酸化物、Ｉｎ−Ｄｙ−Ｚｎ系酸化物、
Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉ
ｎ−Ｙｂ−Ｚｎ系酸化物、Ｉｎ−Ｌｕ−Ｚｎ系酸化物、Ｉｎ−Ｓｎ−Ｇａ−Ｚｎ系酸化物
、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａ
ｌ−Ｚｎ系酸化物、Ｉｎ−Ｓｎ−Ｈｆ−Ｚｎ系酸化物、Ｉｎ−Ｈｆ−Ａｌ−Ｚｎ系酸化物
等がある。
【００４４】
例えば、Ｉｎ：Ｇａ：Ｚｎ＝１：１：１、Ｉｎ：Ｇａ：Ｚｎ＝３：１：２、あるいはＩｎ
：Ｇａ：Ｚｎ＝２：１：３の原子数比のＩｎ−Ｇａ−Ｚｎ系酸化物やその組成の近傍の酸
化物を用いるとよい。
【００４５】
チャネル形成領域を構成する酸化物半導体膜に水素が多量に含まれると、酸化物半導体と
結合することによって、水素の一部がドナーとなり、キャリアである電子を生じてしまう
。これにより、トランジスタの閾値電圧がマイナス方向にシフトしてしまう。そのため、
酸化物半導体膜の形成後において、脱水化処理（脱水素化処理）を行い酸化物半導体膜か
ら、水素、または水分を除去して不純物が極力含まれないように高純度化することが好ま
しい。
【００４６】
なお、酸化物半導体膜への脱水化処理（脱水素化処理）によって、酸化物半導体膜から酸
素が減少してしまうことがある。よって、酸化物半導体膜への脱水化処理（脱水素化処理
）によって増加した酸素欠損を補填するため酸素を酸化物半導体膜に加える処理を行うこ
とが好ましい。本明細書等において、酸化物半導体膜に酸素を供給する場合を、加酸素化
処理と記す場合がある、または酸化物半導体膜に含まれる酸素を化学量論的組成よりも多
くする場合を過酸素化処理と記す場合がある。
【００４７】
このように、酸化物半導体膜は、脱水化処理（脱水素化処理）により、水素または水分が
除去され、加酸素化処理により酸素欠損を補填することによって、ｉ型（真性）化または
ｉ型に限りなく近く実質的にｉ型（真性）である酸化物半導体膜とすることができる。な
お、実質的に真性とは、酸化物半導体膜中にドナーに由来するキャリアが極めて少なく（
ゼロに近く）、キャリア密度が１×１０１７／ｃｍ３以下、１×１０１６／ｃｍ３以下、
１×１０１５／ｃｍ３以下、１×１０１４／ｃｍ３以下、１×１０１３／ｃｍ３以下、８
×１０１１／ｃｍ３未満、１×１０１１／ｃｍ３未満であることをいう。また、キャリア
密度の下限値は１×１０−９／ｃｍ３以上である。
【００４８】
また、このように、ｉ型または実質的にｉ型である酸化物半導体膜を備えるトランジスタ
は、極めて優れたオフ電流特性を実現できる。例えば、酸化物半導体膜を用いたトランジ
スタがオフ状態のときのドレイン電流を、室温（２５℃程度）にて１×１０−１８Ａ以下
、好ましくは１×１０−２１Ａ以下、更に好ましくは１×１０−２４Ａ以下、または８５
℃にて１×１０−１５Ａ以下、好ましくは１×１０−１８Ａ以下、更に好ましくは１×１
０−２１Ａ以下とすることができる。なお、トランジスタがオフ状態とは、ｎチャネル型
のトランジスタの場合、ゲート電圧が閾値電圧よりも十分小さい状態をいう。具体的には
、ゲート電圧が閾値電圧よりも１Ｖ以上、２Ｖ以上または３Ｖ以上小さければ、トランジ
スタはオフ状態となる。
【００４９】
また、成膜される酸化物半導体は、例えば非単結晶を有してもよい。酸化物半導体は、例
えばＣＡＡＣを有してもよい。なお、ＣＡＡＣを有する酸化物半導体を、ＣＡＡＣ−ＯＳ
（Ｃ  Ａｘｉｓ  Ａｌｉｇｎｅｄ  Ｃｒｙｓｔａｌｌｉｎｅ  Ｏｘｉｄｅ  Ｓｅｍｉｃｏ
ｎｄｕｃｔｏｒ）と呼ぶ。ＣＡＡＣ−ＯＳは、例えば、複数の結晶部を有し、当該複数の
結晶部においてｃ軸が被形成面の法線ベクトルまたは表面の法線ベクトルに平行な方向に
揃っている場合がある。
【００５０】
また、電子機器に使用する部品ごとにバッテリーを設け、複数の電源を有する電子機器は
、オペレーションシステムにも特徴を有している。例えば、オペレーションシステムは、
第１のバッテリーと、第２のバッテリーと、第３のバッテリーと、これらのバッテリーを
管理する制御部とを有し、無線を用いて同時に充電を行うことができる。また、オペレー
ションシステムは、少なくとも複数の電源（二次電池など）と、ＣＰＵなどの制御部とを
有し、制御部によって複数の電源の電力を管理する。また、電子機器の制御部は、１つに
限定されず、例えば、複数の電源の数と同じ数設けてもよい。
【００５１】
また、複数の電源を有する電子機器のオペレーションシステムは、第１のバッテリーと、
第２のバッテリーと、第３のバッテリーと、第１乃至第３のバッテリーを管理する電源管
理回路とを有し、無線を用いて、第１のバッテリーは、第２のバッテリーまたは第３のバ
ッテリーに電力を供給するオペレーションシステムである。電源管理回路は、各バッテリ
ーの電力量を監視し、ある一つのバッテリーから他のバッテリーに電力を無線で供給して
充電することを自動または使用者の操作によって適宜実行することができる。
【発明の効果】
【００５２】
複数のバッテリーを有し、互いのバッテリーの電力を相互に供給しうる電源管理回路を有
する電子機器を実現できる。この場合、複数のバッテリーのうち一つのバッテリーを交換
することで、他のバッテリーを交換することなく充電を行うこともできる。また、外部か
らの無線充電を複数のバッテリーのうち一つのバッテリーに対して充電を行った後、電源
管理回路によって外部からの充電を停止し、電子機器内部で他のバッテリーに無線充電を
行うことを繰り返すことで全てのバッテリーを満充電にすることもできる。
【００５３】
電子機器に使用する部品ごとにバッテリーを設け、使用する部品のみを選択的に駆動させ
るオペレーションシステムにより、省電力化を図ることができる。また、新規な構造の電
子機器を実現する。なお、これらの効果の記載は、他の効果の存在を妨げるものではない
。なお、本発明の一態様は、必ずしも、これらの効果の全てを有する必要はない。なお、
これら以外の効果は、明細書、図面、請求項などの記載から、自ずと明らかとなるもので
あり、明細書、図面、請求項などの記載から、これら以外の効果を抽出することが可能で
ある。
【図面の簡単な説明】
【００５４】
【図１】本発明の一態様を示すブロック図である。
【図２】本発明の一態様を示す電子機器を説明する図である。
【図３】本発明の一態様を示すブロック図である。
【図４】本発明の一態様を示す電子機器を説明する図である。
【図５】本発明の一態様を示す電子機器を説明する図である。
【図６】本発明の一態様を示す電子機器を説明する図である。
【図７】本発明の一態様を示す電子機器を説明する図である。
【図８】本発明の一態様を示すブロック図である。
【図９】本発明の一態様を示す電子機器を説明する図である。
【発明を実施するための形態】
【００５５】
以下では、本発明の実施の形態について図面を用いて詳細に説明する。ただし、本発明は
以下の説明に限定されず、その形態および詳細を様々に変更し得ることは、当業者であれ
ば容易に理解される。また、本発明は以下に示す実施の形態の記載内容に限定して解釈さ
れるものではない。
【００５６】
（実施の形態１）
本実施の形態では、携帯情報端末などのデバイスの例を以下に説明する。
【００５７】
図１は、デバイス１１０のブロック図を示している。
【００５８】
本実施の形態にかかるデバイス１１０は、制御モジュール１１５と、表示モジュール１２
１と、通信モジュール１２６と、電源管理回路１２７を有する。制御モジュール１１５は
、デバイス１１０全体の制御と、通信や、表示部１１６への情報の表示を制御するコント
ローラである。
【００５９】
制御モジュール１１５は、ＣＰＵ１１１、バッテリー１１２、レギュレータ１１３、無線
受信部１１４、及び無線送信部１２８を有する。
【００６０】
また、表示モジュール１２１は、表示部１１６、表示駆動回路１１９、バッテリー１１７
、レギュレータ１１８、無線受信部１２０、及び無線送信部１２９を有する。また、図１
では、デバイス１１０が表示部１１６を有する例を示したが特に限定されず、表示部１１
６に代えて他の機能部、例えばセンサ部などとすることもできる。
【００６１】
また、通信モジュール１２６は、通信回路１２２、バッテリー１２３、レギュレータ１２
４、無線受信部１２５、及び無線送信部１３０を有する。
【００６２】
各モジュールは、それぞれレギュレータとバッテリーを有している。各レギュレータは、
接続されているバッテリーの電源を使って各機能回路に必要な電力または信号を生成し、
各機能回路に供給する。また、バッテリーへの充電時には、レギュレータは過充電などを
防止することもできる。また、図１では、一つのレギュレータに無線受信部及び無線送信
部が接続されている例を示しているが、無線受信部用のレギュレータと、無線送信部用の
レギュレータと別々に接続してもよい。
【００６３】
デバイス１１０は、電源管理回路１２７によって、互いのバッテリーの電力を相互に供給
しうる。また、電源管理回路１２７は、バッテリー１１２、１１７、１２３の電力量を監
視し、ある一つのバッテリーから他のバッテリーに電力を無線で供給して充電することを
自動または使用者の操作によって適宜実行することができる。
【００６４】
また、デバイス１１０は、それぞれのモジュールを独立してオン状態、或いはオフ状態と
することができる。使用するモジュールのみを選択的に駆動させるオペレーションシステ
ムにより、デバイス１１０の省電力化を図ることができる。
【００６５】
例えば、使用者が通信機能を用いることなく、表示部１１６で情報を見る場合、通信モジ
ュール１２６においては、通信回路１２２への電力を遮断し、バッテリー１２３を使わな
いオフ状態とし、表示モジュール１２１及び制御モジュール１１５をオン状態とする。
【００６６】
さらに、静止画であれば、表示モジュール１２１及び制御モジュール１１５をオン状態と
して表示部１１６で静止画を表示させた後、静止画を表示させたまま制御モジュール１１
５をオフ状態としても、表示モジュール１２１のみをオン状態として静止画を表示し続け
ることができる。なお、表示部１１６のトランジスタがオフ電流の低い酸化物半導体層（
例えばＩｎ、Ｇａ、及びＺｎを含む酸化物材料など）を用いる、または画素ごとにメモリ
を有する構成とすれば、静止画表示後にバッテリー１１７からの電力供給を遮断しても一
定時間の間であれば、静止画を表示しつづけることもできる。
【００６７】
また、本実施の形態では、表示モジュール１２１、制御モジュール１１５、及び通信モジ
ュール１２６がそれぞれバッテリーを有する例を示したが、特に合計３つのバッテリーに
限定されず、さらに機能モジュール及びそのバッテリーを加えて４つ以上のバッテリーを
有する電子機器としてもよい。
【００６８】
図２に電子機器の一例としてバッテリーを４つ有する情報端末の例を示す。
【００６９】
図２に示す電子機器８０００は、上部カバー８００１と下部カバー８００２との間に、
ＦＰＣ８００３に接続されたタッチパネル８００４、ＦＰＣ８００５に接続された表示パ
ネル８０１６、バックライトユニット８００７、フレーム８００９、プリント基板８０１
０、ＣＰＵ８０１１、電源管理回路８１１６、バッテリー８０１２ａ、８０１２ｂ、８０
１２ｃ、８０１２ｄを有する。
【００７０】
上部カバー８００１及び下部カバー８００２は、タッチパネル８００４及び表示パネル
８０１６のサイズに合わせて、形状や寸法を適宜変更することができる。
【００７１】
タッチパネル８００４は、抵抗膜方式または静電容量方式のタッチパネルを表示パネル
８０１６に重畳して用いることができる。また、表示パネル８０１６の対向基板（封止基
板）に、タッチパネル機能を持たせるようにすることも可能である。また、表示パネル８
０１６の各画素内に光センサを設け、光学式のタッチパネルとすることも可能である。タ
ッチパネル８００４は、プリント基板とＦＰＣ８００３を介して接続されており、そのプ
リント基板には、バッテリー８０１２ａとレギュレータ８０２１と送受信部８１１９など
を有している。なお、本実施の形態では、送受信部８１１９として簡略化のため一つに図
示しているが、送信部と受信部とをそれぞれ分かれており、一部共通の回路や配線を有し
ていてもよい。この送受信部８１１９は無線充電用のアンテナまたは無線送信用のアンテ
ナを有しており、外部から無線で供給される電力はレギュレータを介してバッテリー８０
１２ａに充電される。このバッテリー８０１２ａを主に用いてタッチパネル８００４は駆
動する。また、電源管理回路８１１６の指示によりバッテリー８０１２ａの電力が送受信
部８１１９を介して他のバッテリーに送信されてそのバッテリーが充電される。
【００７２】
また、表示パネル８０１６は、アクティブマトリクス方式の液晶表示モジュールであり、
プリント基板とＦＰＣ８００５を介して接続されている。このプリント基板には、バッテ
リー８０１２ｂ、レギュレータ８０１８、送受信部８１２０などを有している。この送受
信部８１２０は無線充電用のアンテナまたは無線送信用のアンテナを有しており、外部か
ら無線で供給される電力はレギュレータを介してバッテリー８０１２ｂに充電される。こ
のバッテリー８０１２ｂを主に用いて表示パネル８０１６は表示領域に映像を表示する。
また、電源管理回路８１１６の指示によりバッテリー８０１２ｂの電力が送受信部８１２
０を介して他のバッテリーに送信されてそのバッテリーが充電される。
【００７３】
バックライトユニット８００７は、ＬＥＤなどの光源８００８を有する。また、バック
ライトユニット８００７は、プリント基板とＦＰＣを介して接続されている。このプリン
ト基板には、バッテリー８０１２ｃ、レギュレータ８０１７、送受信部８１１５などを有
している。また、電源管理回路８１１６の指示によりバッテリー８０１２ｃの電力が送受
信部８１１５を介して他のバッテリーに送信されてそのバッテリーが充電される。
【００７４】
なお、図２において、バックライトユニット８００７上に光源８００８を配置する構成に
ついて例示したが、これに限定さない。例えば、バックライトユニット８００７の端部に
光源８００８を配置し、さらに光拡散板を用いる構成としてよい。
【００７５】
なお、バックライトユニット８００７は、表示パネル８０１６が有機ＥＬ素子を用いた
表示装置や、反射型の液晶表示装置の場合、設けない構成としてもよい。バックライトユ
ニット８００７は、例えば、透過型の液晶表示装置、または半透過型の液晶表示装置の場
合、設けられる。
【００７６】
なお、表示パネル８０１６として、表示素子、表示素子を有する装置である表示装置、
発光素子、及び発光素子を有する装置である発光装置などには、様々な形態を用いること
、又は様々な素子を有することが出来る。表示素子、表示装置、発光素子又は発光装置は
、例えば、ＥＬ（エレクトロルミネッセンス）素子（有機物及び無機物を含むＥＬ素子、
有機ＥＬ素子、無機ＥＬ素子）、ＬＥＤ（白色ＬＥＤ、赤色ＬＥＤ、緑色ＬＥＤ、青色Ｌ
ＥＤなど）、トランジスタ（電流に応じて発光するトランジスタ）、電子放出素子、液晶
素子、電子インク、電気泳動素子、グレーティングライトバルブ（ＧＬＶ）、プラズマデ
ィスプレイ（ＰＤＰ）、ＭＥＭＳ（マイクロ・エレクトロ・メカニカル・システム）を用
いた表示素子、デジタルマイクロミラーデバイス（ＤＭＤ）、ＤＭＳ（デジタル・マイク
ロ・シャッター）、ＭＩＲＡＳＯＬ（登録商標）、ＩＭＯＤ（インターフェアレンス・モ
ジュレーション）素子、シャッター方式のＭＥＭＳ表示素子、光干渉方式のＭＥＭＳ表示
素子、エレクトロウェッティング素子、圧電セラミックディスプレイ、カーボンナノチュ
ーブを用いた表示素子などの少なくとも一つを有している。これらの他にも、電気的また
は磁気的作用により、コントラスト、輝度、反射率、透過率などが変化する表示媒体を有
していてもよい。ＥＬ素子を用いた表示装置の一例としては、ＥＬディスプレイなどがあ
る。電子放出素子を用いた表示装置の一例としては、フィールドエミッションディスプレ
イ（ＦＥＤ）又はＳＥＤ方式平面型ディスプレイ（ＳＥＤ：Ｓｕｒｆａｃｅ−ｃｏｎｄｕ
ｃｔｉｏｎ  Ｅｌｅｃｔｒｏｎ−ｅｍｉｔｔｅｒ  Ｄｉｓｐｌａｙ）などがある。液晶素
子を用いた表示装置の一例としては、液晶ディスプレイ（透過型液晶ディスプレイ、半透
過型液晶ディスプレイ、反射型液晶ディスプレイ、直視型液晶ディスプレイ、投射型液晶
ディスプレイ）などがある。電子インク、電子粉流体（登録商標）、又は電気泳動素子を
用いた表示装置の一例としては、電子ペーパーなどがある。なお、半透過型液晶ディスプ
レイや反射型液晶ディスプレイを実現する場合には、画素電極の一部、または、全部が、
反射電極としての機能を有するようにすればよい。例えば、画素電極の一部、または、全
部が、アルミニウム、銀、などを有するようにすればよい。さらに、その場合、反射電極
の下に、ＳＲＡＭなどの記憶回路を設けることも可能である。これにより、さらに、消費
電力を低減することができる。
【００７７】
なお、表示パネル８０１６において、画素に能動素子を有するアクティブマトリクス方
式、または、画素に能動素子を有しないパッシブマトリクス方式を用いることが出来る。
【００７８】
アクティブマトリクス方式では、能動素子（アクティブ素子、非線形素子）として、ト
ランジスタだけでなく、さまざまな能動素子（アクティブ素子、非線形素子）を用いるこ
とが出来る。例えば、ＭＩＭ（Ｍｅｔａｌ  Ｉｎｓｕｌａｔｏｒ  Ｍｅｔａｌ）、又はＴ
ＦＤ（Ｔｈｉｎ  Ｆｉｌｍ  Ｄｉｏｄｅ）などを用いることも可能である。これらの素子
は、製造工程が少ないため、製造コストの低減、又は歩留まりの向上を図ることができる
。または、これらの素子は、素子のサイズが小さいため、開口率を向上させることができ
、低消費電力化や高輝度化をはかることが出来る。
【００７９】
アクティブマトリクス方式以外のものとして、能動素子（アクティブ素子、非線形素子
）を用いないパッシブマトリクス型を用いることも可能である。能動素子（アクティブ素
子、非線形素子）を用いないため、製造工程が少ないため、製造コストの低減、又は歩留
まりの向上を図ることができる。または、能動素子（アクティブ素子、非線形素子）を用
いないため、開口率を向上させることができ、低消費電力化、又は高輝度化などを図るこ
とが出来る。
【００８０】
なお、表示パネル８０１６などにおいて、トランジスタが使用されている場合、様々な
基板を用いて、トランジスタを形成することが出来る。基板の種類は、特定のものに限定
されることはない。その基板の一例としては、半導体基板（例えば単結晶基板又はシリコ
ン基板）、ＳＯＩ基板、ガラス基板、石英基板、プラスチック基板、金属基板、ステンレ
ス・スチル基板、ステンレス・スチル・ホイルを有する基板、タングステン基板、タング
ステン・ホイルを有する基板、可撓性基板、貼り合わせフィルム、繊維状の材料を含む紙
、又は基材フィルムなどがある。ガラス基板の一例としては、バリウムホウケイ酸ガラス
、アルミノホウケイ酸ガラス、又はソーダライムガラスなどがある。可撓性基板、貼り合
わせフィルム、基材フィルムなどの一例としては、以下のものがあげられる。例えば、ポ
リエチレンテレフタレート（ＰＥＴ）、ポリエチレンナフタレート（ＰＥＮ）、ポリエー
テルサルフォン（ＰＥＳ）に代表されるプラスチックがある。または、一例としては、ア
クリル等の合成樹脂などがある。または、一例としては、ポリプロピレン、ポリエステル
、ポリフッ化ビニル、又はポリ塩化ビニルなどがある。または、一例としては、ポリアミ
ド、ポリイミド、アラミド、エポキシ、無機蒸着フィルム、又は紙類などがある。特に、
半導体基板、単結晶基板、又はＳＯＩ基板などを用いてトランジスタを製造することによ
って、特性、サイズ、又は形状などのばらつきが少なく、電流能力が高く、サイズの小さ
いトランジスタを製造することができる。このようなトランジスタによって回路を構成す
ると、回路の低消費電力化、又は回路の高集積化を図ることができる。
【００８１】
また、基板として、可撓性基板を用い、可撓性基板上に直接、トランジスタを形成して
もよい。または、基板とトランジスタの間に剥離層を設けてもよい。剥離層は、その上に
半導体装置を一部あるいは全部完成させた後、基板より分離し、他の基板に転載するため
に用いることができる。その際、トランジスタは耐熱性の劣る基板や可撓性の基板にも転
載できる。なお、上述の剥離層には、例えば、タングステン膜と酸化シリコン膜との無機
膜の積層構造の構成や、基板上にポリイミド等の有機樹脂膜が形成された構成等を用いる
ことができる。
【００８２】
つまり、ある基板を用いてトランジスタを形成し、その後、別の基板にトランジスタを転
置し、別の基板上にトランジスタを配置してもよい。トランジスタが転置される基板の一
例としては、上述したトランジスタを形成することが可能な基板に加え、紙基板、セロフ
ァン基板、アラミドフィルム基板、ポリイミドフィルム基板、石材基板、木材基板、布基
板（天然繊維（絹、綿、麻）、合成繊維（ナイロン、ポリウレタン、ポリエステル）若し
くは再生繊維（アセテート、キュプラ、レーヨン、再生ポリエステル）などを含む）、皮
革基板、又はゴム基板などがある。これらの基板を用いることにより、特性のよいトラン
ジスタの形成、消費電力の小さいトランジスタの形成、壊れにくい装置の製造、耐熱性の
付与、軽量化、又は薄型化を図ることができる。
【００８３】
なお、表示パネル８０１６などにおいて、トランジスタが使用されている場合、トラン
ジスタとして、様々な構造のトランジスタを用いることが出来る。よって、用いるトラン
ジスタの種類に限定はない。トランジスタの一例としては、単結晶シリコンを有するトラ
ンジスタ、または、非晶質シリコン、多結晶シリコン、微結晶（マイクロクリスタル、ナ
ノクリスタル、セミアモルファスとも言う）シリコンなどに代表される非単結晶半導体膜
を有するトランジスタなどを用いることが出来る。または、それらの半導体を薄膜化した
薄膜トランジスタ（ＴＦＴ）などを用いることが出来る。ＴＦＴを用いる場合、様々なメ
リットがある。例えば、単結晶シリコンの場合よりも低い温度で製造できるため、製造コ
ストの削減、又は製造装置の大型化を図ることができる。製造装置を大きくできるため、
大型基板上に製造できる。そのため、同時に多くの個数の表示装置を製造できるため、低
コストで製造できる。または、製造温度が低いため、耐熱性の弱い基板を用いることがで
きる。そのため、透光性を有する基板上にトランジスタを製造できる。または、透光性を
有する基板上のトランジスタを用いて表示素子での光の透過を制御することが出来る。ま
たは、トランジスタの膜厚が薄いため、トランジスタを形成する膜の一部は、光を透過さ
せることが出来る。そのため、開口率が向上させることができる。
【００８４】
なお、多結晶シリコンを製造するときに、触媒（ニッケルなど）を用いることにより、
結晶性をさらに向上させ、電気特性のよいトランジスタを製造することが可能となる。そ
の結果、ゲートドライバ回路（走査線駆動回路）、ソースドライバ回路（信号線駆動回路
）、及び信号処理回路（信号生成回路、ガンマ補正回路、ＤＡ変換回路など）を基板上に
一体形成することが出来る。
【００８５】
なお、微結晶シリコンを製造するときに、触媒（ニッケルなど）を用いることにより、
結晶性をさらに向上させ、電気特性のよいトランジスタを製造することが可能となる。こ
のとき、レーザー照射を行うことなく、熱処理を加えるだけで、結晶性を向上させること
も可能である。その結果、ソースドライバ回路の一部（アナログスイッチなど）及びゲー
トドライバ回路（走査線駆動回路）を基板上に一体形成することが出来る。なお、結晶化
のためにレーザー照射を行わない場合は、シリコンの結晶性のムラを抑えることができる
。そのため、画質の向上した画像を表示することが出来る。ただし、触媒（ニッケルなど
）を用いずに、多結晶シリコン又は微結晶シリコンを製造することは可能である。
【００８６】
なお、シリコンの結晶性を、多結晶又は微結晶などへと向上させることは、パネル全体
で行うことが望ましいが、それに限定されない。パネルの一部の領域のみにおいて、シリ
コンの結晶性を向上させてもよい。選択的に結晶性を向上させることは、レーザー光を選
択的に照射することなどにより可能である。例えば、画素以外の領域である周辺回路領域
にのみ、ゲートドライバ回路及びソースドライバ回路などの領域にのみ、又はソースドラ
イバ回路の一部（例えば、アナログスイッチ）の領域にのみ、にレーザー光を照射しても
よい。その結果、回路を高速に動作させる必要がある領域にのみ、シリコンの結晶化を向
上させることができる。画素領域は、高速に動作させる必要性が低いため、結晶性が向上
されなくても、問題なく画素回路を動作させることが出来る。こうすることによって、結
晶性を向上させる領域が少なくて済むため、製造工程も短くすることが出来る。そのため
、スループットが向上し、製造コストを低減させることが出来る。または、必要とされる
製造装置の数も少ない数で製造できるため、製造コストを低減させることが出来る。
【００８７】
なお、トランジスタの一例としては、化合物半導体（例えば、ＳｉＧｅ、ＧａＡｓなど
）、又は酸化物半導体（例えば、Ｚｎ−Ｏ、Ｉｎ−Ｇａ−Ｚｎ−Ｏ、Ｉｎ−Ｚｎ−Ｏ（Ｉ
ＺＯ（登録商標））、Ｉｎ−Ｓｎ−Ｏ（ＩＴＯ）、Ｓｎ−Ｏ、Ｔｉ−Ｏ、Ａｌ−Ｚｎ−Ｓ
ｎ−Ｏ（ＡＺＴＯ）、Ｉｎ−Ｓｎ−Ｚｎ−Ｏ（ＩＴＺＯ（登録商標））など）などを有す
るトランジスタを用いることが出来る。または、これらの化合物半導体、又は、これらの
酸化物半導体を薄膜化した薄膜トランジスタなどを用いることが出来る。これらにより、
製造温度を低くできるので、例えば、室温でトランジスタを製造することが可能となる。
その結果、耐熱性の低い基板、例えばプラスチック基板又はフィルム基板などに直接トラ
ンジスタを形成することが出来る。なお、これらの化合物半導体又は酸化物半導体を、ト
ランジスタのチャネル部分に用いるだけでなく、それ以外の用途で用いることも出来る。
例えば、これらの化合物半導体又は酸化物半導体を配線、抵抗素子、画素電極、又は透光
性を有する電極などとして用いることができる。それらをトランジスタと同時に成膜又は
形成することが可能なため、コストを低減できる。
【００８８】
なお、トランジスタの一例としては、インクジェット法又は印刷法を用いて形成したト
ランジスタなどを用いることが出来る。これらにより、室温で製造、低真空度で製造、又
は大型基板上に製造することができる。よって、マスク（レチクル）を用いなくても製造
することが可能となるため、トランジスタのレイアウトを容易に変更することが出来る。
または、レジストを用いらずに製造することが可能なので、材料費が安くなり、工程数を
削減できる。または、必要な部分にのみ膜を付けることが可能なので、全面に成膜した後
でエッチングする、という製法よりも、材料が無駄にならず、低コストにできる。
【００８９】
なお、トランジスタの一例としては、有機半導体やカーボンナノチューブを有するトラ
ンジスタ等を用いることができる。これらにより、曲げることが可能な基板上にトランジ
スタを形成することが出来る。有機半導体やカーボンナノチューブを有するトランジスタ
を用いた装置は、衝撃に強くすることができる。
【００９０】
なお、表示モジュール１２１、制御モジュール１１５、通信モジュール１２６、電子機器
８０００などが有する回路において、トランジスタが使用されている場合、トランジスタ
としては、他にも様々な構造のトランジスタを用いることができる。例えば、トランジス
タとして、ＭＯＳ型トランジスタ、接合型トランジスタ、バイポーラトランジスタなどを
用いることが出来る。トランジスタとしてＭＯＳ型トランジスタを用いることにより、ト
ランジスタのサイズを小さくすることが出来る。よって、多数のトランジスタを搭載する
ことができる。トランジスタとしてバイポーラトランジスタを用いることにより、大きな
電流を流すことが出来る。よって、高速に回路を動作させることができる。なお、ＭＯＳ
型トランジスタとバイポーラトランジスタとを１つの基板に混在させて形成してもよい。
これにより、低消費電力、小型化、高速動作などを実現することが出来る。
【００９１】
または、例えば、トランジスタの一例としては、ゲート電極が２個以上のマルチゲート
構造のトランジスタを用いることができる。マルチゲート構造にすると、チャネル領域が
直列に接続されるため、複数のトランジスタが直列に接続された構造となる。よって、マ
ルチゲート構造により、オフ電流の低減、トランジスタの耐圧向上（信頼性の向上）を図
ることができる。または、マルチゲート構造により、飽和領域で動作する時に、ドレイン
とソースとの間の電圧が変化しても、ドレインとソースとの間の電流があまり変化せず、
傾きがフラットである電圧・電流特性を得ることができる。傾きがフラットである電圧・
電流特性を利用すると、理想的な電流源回路、又は非常に高い抵抗値をもつ能動負荷を実
現することが出来る。その結果、特性のよい差動回路又はカレントミラー回路などを実現
することが出来る。
【００９２】
なお、トランジスタの一例としては、チャネルの上下にゲート電極が配置されている構
造のトランジスタを適用することができる。チャネルの上下にゲート電極が配置される構
造にすることにより、複数のトランジスタが並列に接続されたような回路構成となる。よ
って、チャネル領域が増えるため、電流値の増加を図ることができる。または、チャネル
の上下にゲート電極が配置されている構造にすることにより、空乏層ができやすくなるた
め、Ｓ値の改善を図ることができる。
【００９３】
なお、トランジスタの一例としては、チャネル領域の上にゲート電極が配置されている
構造、チャネル領域の下にゲート電極が配置されている構造、正スタガ構造、逆スタガ構
造、チャネル領域を複数の領域に分けた構造、チャネル領域を並列に接続した構造、又は
チャネル領域が直列に接続する構造などのトランジスタを用いることができる。または、
トランジスタとして、プレーナ型、ＦＩＮ型（フィン型）、ＴＲＩ−ＧＡＴＥ型（トライ
ゲート型）、トップゲート型、ボトムゲート型、ダブルゲート型（チャネルの上下にゲー
トが配置されている）、など、様々な構成をとることが出来る。
【００９４】
フレーム８００９は、表示パネル８０１６の保護機能を有する。またフレーム８００９
は、放熱板としての機能を有していてもよい。また、いずれかの受信部のアンテナを内蔵
させてもよい。
【００９５】
制御部は、プリント基板８０１０上にＣＰＵ８０１１と、バッテリー８０１２ｄ、レギュ
レータ８０１３、送受信部８１１４、ビデオ信号及びクロック信号を出力するための信号
処理回路を有する。また、同じプリント基板８０１０上に電源管理回路８１１６を有する
例を示したが特に限定されず、ＣＰＵ８０１１に電源管理回路８１１６と同じ機能を持た
せて一つのチップにしてもよい。また、電源管理回路８１１６は、複数のバッテリーを監
視し、管理するため、その電力を供給する電源も別途設けてもよいが、本実施の形態では
、同じプリント基板８０１０に設けられているバッテリー８０１２ｄを主電源としている
。また、他のプリント基板に設けられているバッテリー８０１２ａ、８０１２ｂ、８０１
２ｃはそれぞれの電力量を送受信部８１１４を用いた無線通信によって電源管理回路８１
１６に監視され、副電源として用いることができる。例えば、バッテリー８０１２ｄの残
量が減ってきた場合には、バッテリー８０１２ａ、８０１２ｂ、８０１２ｃから電力を無
線でバッテリー８０１２ｄに送信し、バッテリー８０１２ｄに充電を行うことができる。
【００９６】
また、外部（充電器など）からの充電の際、各送受信部で同時に電力を受信できるように
してもよい。また、無線充電は、充電器と電子機器の重ね方、置き方によってはうまく充
電ができない場合もある。電子機器８０００は、複数の送受信部を有しているため、その
位置を点在させて配置すると、充電器にどのような置き方をしてもいずれか一つの送受信
部で電力が受信できて一つのバッテリーに充電できれば、電源管理回路８１１６によって
、充電された一つのバッテリーから他の一つまたは複数のバッテリーに充電でき、結果的
にすべてのバッテリーを満充電にさせることができる。
【００９７】
なお、電子機器８０００は、情報端末であるので通信機能として通信モジュールを有して
おり、非接触充電機能を実現する通信モジュールが搭載されている。また、電子機器８０
００は、電話などの行える近距離無線通信機能を実現する通信モジュールを搭載してもよ
い。その場合、通信モジュールも同様にバッテリーを有する構造としてもよい。また、他
の機能を搭載してもよく、例えば、センサ（力、変位、位置、速度、加速度、角速度、回
転数、距離、光、液、磁気、温度、化学物質、音声、時間、硬度、電場、電流、電圧、電
力、放射線、流量、湿度、傾度、振動、におい又は赤外線を測定する機能を含むもの）、
マイクロフォン等を設けてもよい。
【００９８】
一つの機能回路ごとにそれぞれ１枚のプリント基板を用い、それぞれの機能回路に合わせ
て最適な出力ができるようなレギュレータ及びバッテリーを搭載しており、さらにバッテ
リーと機能回路の距離が近く、引き回し配線を短くすることができるため、省電力化を図
ることができる。
【００９９】
また、図２ではプリント基板を機能ごとにそれぞれ１枚用い、合計として複数枚用いる例
を示しているが特に限定されず、すべての機能回路を１枚のプリント基板に設けてもよく
、その場合、１枚のプリント基板に複数のバッテリーを設けることとなる。また、複数の
機能をプリント基板１枚にまとめてもよく、その際にバッテリーもまとめて１つとしても
よい。また、図２の表示パネル８０１６、タッチパネル８００４、バックライトユニット
８００７のそれぞれは、図２に図示していない配線コードまたはＦＰＣによって制御部と
電気的に接続する構成である。また、図２の電子機器８０００は、それぞれのプリント基
板に送受信回路などを有しているため、それぞれを配線などで接続させなくとも駆動させ
ることができる。それぞれの回路間を無線通信や無線充電することによって、配線コード
の引き回しや、コネクタなどの設計を簡略化させて、設計の自由度を上げることができる
。
【０１００】
さらに、電子機器８０００は、ＳＩＭカードを挿入するためのスロットや、ＵＳＢメモリ
などＵＳＢデバイスを接続するコネクタ部などを設けてもよい。
【０１０１】
以上に示したように、電子機器８０００は、電子機器に使用するユニット（モジュールや
、機能）ごとにバッテリーを設け、電源管理回路８１１６によって管理される複数の電源
を有する電子機器とする。複数の電源を有する電子機器８０００として、使用する機能の
みを選択的に駆動させるオペレーションシステムにより、省電力化を図ることができる。
また、電源管理回路８１１６は、各バッテリーの電力量を監視し、ある一つのバッテリー
から他のバッテリーに電力を無線で供給して充電することを自動または使用者の操作によ
って適宜実行することができる。電子機器内の複数のバッテリーの中から使用する部品に
対応するバッテリーを適宜選択し、それぞれのバッテリーの電力量を調節するオペレーシ
ョンシステムにより、使用する機能の使用可能な時間を延長することができる。
【０１０２】
また、それぞれのバッテリーには非接触充電機能を実現する通信モジュールを有しており
、複数のバッテリーに対して同時に充電するように制御することができる。また、送受信
部を有し、電源管理回路によって電力量を調整できるため、互いのバッテリーの電力を相
互に供給しうる。
【０１０３】
また、本実施の形態は、外形が箱型の電子機器８０００の例を示したが、特に限定されず
、複雑な外形形状の電子機器とすることもできる。複雑な外形形状の電子機器とする場合
、複数の小型のバッテリーを適宜、所定の場所に配置させることで、電子機器の設計の自
由度を上げることができる。
【０１０４】
（実施の形態２）
実施の形態１では、１枚のプリント基板にバッテリーと、無線受信部と、ＣＰＵとを実装
し、複数のプリント基板を有する電子機器の例を示したが、本実施の形態では、ＣＰＵを
作製する基板１１９０上にレギュレータ１１８８も作製し、さらに小さなバッテリーをＣ
ＰＵとレギュレータ１１８８を介して接続する例を示す。レギュレータ１１８８は、接続
されている電源（バッテリーなど）から各機能回路に必要な電力または信号を生成し、供
給する。図３は、基板１１９０上にレギュレータ１１８８とＣＰＵを形成する例を示す。
【０１０５】
ＣＰＵについて以下に説明する。
【０１０６】
図３（Ａ）は、ＣＰＵの具体的な構成を示すブロック図である。図３（Ａ）に示すＣＰＵ
は、基板１１９０上に、ＡＬＵ１１９１（ＡＬＵ：Ａｒｉｔｈｍｅｔｉｃ  ｌｏｇｉｃ  
ｕｎｉｔ、演算回路）、ＡＬＵコントローラ１１９２、インストラクションデコーダ１１
９３、インタラプトコントローラ１１９４、タイミングコントローラ１１９５、レジスタ
１１９６、レジスタコントローラ１１９７、バスインターフェース１１９８（Ｂｕｓ  Ｉ
／Ｆ）、書き換え可能なＲＯＭ１１９９、及びＲＯＭインターフェース１１８９（ＲＯＭ
Ｉ／Ｆ）を有している。基板１１９０は、半導体基板、ＳＯＩ基板、ガラス基板などを
用いる。ＲＯＭ１１９９及びＲＯＭインターフェース１１８９は、別チップに設けてもよ
い。もちろん、図３（Ａ）に示すＣＰＵは、その構成を簡略化して示した一例にすぎず、
実際のＣＰＵはその用途によって多種多様な構成を有している。
【０１０７】
バスインターフェース１１９８を介してＣＰＵに入力された命令は、インストラクション
デコーダ１１９３に入力され、デコードされた後、ＡＬＵコントローラ１１９２、インタ
ラプトコントローラ１１９４、レジスタコントローラ１１９７、タイミングコントローラ
１１９５に入力される。
【０１０８】
ＡＬＵコントローラ１１９２、インタラプトコントローラ１１９４、レジスタコントロー
ラ１１９７、タイミングコントローラ１１９５は、デコードされた命令に基づき、各種制
御を行なう。具体的にＡＬＵコントローラ１１９２は、ＡＬＵ１１９１の動作を制御する
ための信号を生成する。また、インタラプトコントローラ１１９４は、ＣＰＵのプログラ
ム実行中に、外部の入出力装置や、周辺回路からの割り込み要求を、その優先度やマスク
状態から判断し、処理する。レジスタコントローラ１１９７は、レジスタ１１９６のアド
レスを生成し、ＣＰＵの状態に応じてレジスタ１１９６の読み出しや書き込みを行なう。
【０１０９】
また、タイミングコントローラ１１９５は、ＡＬＵ１１９１、ＡＬＵコントローラ１１９
２、インストラクションデコーダ１１９３、インタラプトコントローラ１１９４、及びレ
ジスタコントローラ１１９７の動作のタイミングを制御する信号を生成する。例えばタイ
ミングコントローラ１１９５は、基準クロック信号ＣＬＫ１を元に、内部クロック信号Ｃ
ＬＫ２を生成する内部クロック生成部を備えており、内部クロック信号ＣＬＫ２を上記各
種回路に供給する。
【０１１０】
図３（Ａ）に示すＣＰＵでは、レジスタ１１９６に、メモリセルが設けられている。レジ
スタ１１９６のメモリセルには、酸化物半導体層を用いたトランジスタを含むメモリセル
を用いることができる。
【０１１１】
図３（Ａ）に示すＣＰＵにおいて、レジスタコントローラ１１９７は、ＡＬＵ１１９１か
らの指示に従い、レジスタ１１９６における保持動作の選択を行う。すなわち、レジスタ
１１９６が有するメモリセルにおいて、フリップフロップによるデータの保持を行うか、
容量素子によるデータの保持を行うかを、選択する。フリップフロップによるデータの保
持が選択されている場合、レジスタ１１９６内のメモリセルへの、電源電圧の供給が行わ
れる。容量素子におけるデータの保持が選択されている場合、容量素子へのデータの書き
換えが行われ、レジスタ１１９６内のメモリセルへの電源電圧の供給を停止することがで
きる。
【０１１２】
電源停止に関しては、図３（Ｂ）または図３（Ｃ）に示すように、メモリセル群と、電源
電位ＶＤＤまたは電源電位ＶＳＳの与えられているノード間に、スイッチング素子を設け
ることにより行うことができる。以下に図３（Ｂ）及び図３（Ｃ）の回路の説明を行う。
【０１１３】
図３（Ｂ）及び図３（Ｃ）では、メモリセルへの電源電位の供給を制御するスイッチング
素子に、酸化物半導体層を用いたトランジスタを含む記憶回路の構成の一例を示す。
【０１１４】
図３（Ｂ）に示す記憶装置は、スイッチング素子１１４１と、メモリセル１１４２を複数
有するメモリセル群１１４３とを有している。メモリセル群１１４３が有する各メモリセ
ル１１４２には、スイッチング素子１１４１を介して、ハイレベルの電源電位ＶＤＤが供
給されている。さらに、メモリセル群１１４３が有する各メモリセル１１４２には、信号
ＩＮの電位と、ローレベルの電源電位ＶＳＳの電位が与えられている。
【０１１５】
図３（Ｂ）では、スイッチング素子１１４１として、酸化物半導体層を用いたトランジス
タを用いており、該トランジスタは、そのゲート電極層に与えられる信号ＳｉｇＡにより
スイッチングが制御される。
【０１１６】
なお、図３（Ｂ）では、スイッチング素子１１４１がトランジスタを一つだけ有する構成
を示しているが、特に限定されず、トランジスタを複数有していてもよい。スイッチング
素子１１４１が、スイッチング素子として機能するトランジスタを複数有している場合、
上記複数のトランジスタは並列に接続されていてもよいし、直列に接続されていてもよい
し、直列と並列が組み合わされて接続されていてもよい。
【０１１７】
また、図３（Ｂ）では、スイッチング素子１１４１により、メモリセル群１１４３が有す
る各メモリセル１１４２への、ハイレベルの電源電位ＶＤＤの供給が制御されているが、
スイッチング素子１１４１により、ローレベルの電源電位ＶＳＳの供給が制御されていて
もよい。
【０１１８】
また、図３（Ｃ）には、メモリセル群１１４３が有する各メモリセル１１４２に、スイッ
チング素子１１４１を介して、ローレベルの電源電位ＶＳＳが供給されている、記憶装置
の一例を示す。スイッチング素子１１４１により、メモリセル群１１４３が有する各メモ
リセル１１４２への、ローレベルの電源電位ＶＳＳの供給を制御することができる。
【０１１９】
メモリセル群と、電源電位ＶＤＤまたは電源電位ＶＳＳの与えられているノード間に、ス
イッチング素子を設け、一時的にＣＰＵの動作を停止し、電源電圧の供給を停止した場合
においてもデータを保持することが可能であり、消費電力の低減を行うことができる。具
体的には、例えば、パーソナルコンピュータのユーザーが、キーボードなどの入力装置へ
の情報の入力を停止している間でも、ＣＰＵの動作を停止することができ、それにより消
費電力を低減することができる。
【０１２０】
ここでは、ＣＰＵを例に挙げて説明したが、ＤＳＰ（Ｄｉｇｉｔａｌ  Ｓｉｇｎａｌ  Ｐ
ｒｏｃｅｓｓｏｒ）、カスタムＬＳＩ、ＦＰＧＡ（Ｆｉｅｌｄ  Ｐｒｏｇｒａｍｍａｂｌ
ｅ  Ｇａｔｅ  Ａｒｒａｙ）等のＬＳＩにも応用可能である。
【０１２１】
本実施の形態は他の実施の形態と自由に組み合わせることができる。
【０１２２】
（実施の形態３）
本実施の形態では、本発明の一態様の電子機器について、図４を用いて説明を行う。
【０１２３】
図４（Ａ）乃至図４（Ｆ）は、電子機器を示す図である。これらの電子機器は、筐体５
０００、表示部５００１、スピーカ５００３、ＬＥＤランプ５００４、操作キー５００５
（電源スイッチ、又は操作スイッチを含む）、接続端子５００６、センサ５００７（力、
変位、位置、速度、加速度、角速度、回転数、距離、光、液、磁気、温度、化学物質、音
声、時間、硬度、電場、電流、電圧、電力、放射線、流量、湿度、傾度、振動、におい又
は赤外線を測定する機能を含むもの）、マイクロフォン５００８、等を有することができ
る。
【０１２４】
図４（Ａ）はモバイルコンピュータであり、上述したものの他に、スイッチ５００９、
赤外線ポート５０１０、等を有することができる。図４（Ｂ）は記録媒体を備えた携帯型
の画像再生装置（たとえば、ＤＶＤ再生装置）であり、上述したものの他に、第２表示部
５００２、記録媒体読込部５０１１、等を有することができる。図４（Ｃ）はゴーグル型
ディスプレイであり、上述したものの他に、第２表示部５００２、支持部５０１２、イヤ
ホン５０１３、等を有することができる。図４（Ｄ）は携帯型遊技機であり、上述したも
のの他に、記録媒体読込部５０１１、等を有することができる。図４（Ｅ）はテレビ受像
機能付きデジタルカメラであり、上述したものの他に、アンテナ５０１４、シャッターボ
タン５０１５、受像部５０１６、等を有することができる。図４（Ｆ）は携帯型遊技機で
あり、上述したものの他に、第２表示部５００２、記録媒体読込部５０１１、等を有する
ことができる。
【０１２５】
図４（Ａ）乃至図４（Ｆ）に示す電子機器は、様々な機能を有することができる。例え
ば、様々な情報（静止画、動画、テキスト画像など）を表示部に表示する機能、タッチパ
ネル機能、カレンダー、日付又は時刻などを表示する機能、様々なソフトウェア（プログ
ラム）によって処理を制御する機能、無線通信機能、無線通信機能を用いて様々なコンピ
ュータネットワークに接続する機能、無線通信機能を用いて様々なデータの送信又は受信
を行う機能、記録媒体に記録されているプログラム又はデータを読み出して表示部に表示
する機能、等を有することができる。さらに、複数の表示部を有する電子機器においては
、一つの表示部を主として画像情報を表示し、別の一つの表示部を主として文字情報を表
示する機能、または、複数の表示部に視差を考慮した画像を表示することで立体的な画像
を表示する機能、等を有することができる。さらに、受像部を有する電子機器においては
、静止画を撮影する機能、動画を撮影する機能、撮影した画像を自動または手動で補正す
る機能、撮影した画像を記録媒体（外部又はカメラに内蔵）に保存する機能、撮影した画
像を表示部に表示する機能、等を有することができる。なお、図４（Ａ）乃至図４（Ｆ）
に示す電子機器が有することのできる機能はこれらに限定されず、様々な機能を有するこ
とができる。
【０１２６】
本実施の形態において述べた電子機器は、複数のバッテリーを内蔵し、無線充電できる
無線受信部を有することを特徴とする。また、複数のバッテリーを管理するための電源管
理回路（電源監視回路を含む）を有する。また、異なるバッテリー間で無線充電を行う送
信部及び受信部を有し、電源管理回路によって臨機応変に充電または使用するバッテリー
を選択する。
【０１２７】
また、図５（Ａ）及び図５（Ｂ）に電子機器の使用例について説明する。
【０１２８】
図５（Ａ）は、車などの移動体の車内で情報端末を操作している例を示す。
【０１２９】
５１０３はハンドルであり、内部にアンテナを有している。ハンドル５１０３内部のアン
テナから電子機器５１００に電力供給できるようにする。電子機器５１００は複数のバッ
テリーを有しており、そのうちの少なくとも一つが無線充電によって充電される。ハンド
ル５１０３に電子機器５１００を固定できるような治具を設けてもよい。ハンドル５１０
３に電子機器５１００を固定すれば、ハンドフリーで電話、またはテレビ電話をかけるこ
ともできる。また、電子機器５１００に設けたマイクで音声認証し、操縦者の音声によっ
て車を操縦することもできる。
【０１３０】
例えば、電子機器５１００を停車中に操作して位置情報を表示部５１０２に表示させるこ
とができる。また、車の表示部５１０１に表示していない情報、例えばエンジン回転数、
ハンドル角度、温度、タイヤ空気圧などを表示部５１０２に表示させてもよい。表示部５
１０２はタッチ入力機能を有する。また、車外を撮影する１つまたは複数のカメラを用い
て車外の様子を表示部５１０２に表示させることもでき、例えばバックモニターとしても
用いることができる。また、居眠り運転を防止するために、車から走行速度などの情報を
無線で受信し、走行速度をモニタリングしながら走行時は、電子機器５１００から運転手
を撮影し、目を閉じている状態が長いと電子機器５１００を振動させる、または、警告音
や、音楽が流れるようにする設定などを運転手が適宜選択できる。また、車の停止時には
運転手の撮影を停止して省電力を図り、さらに停止中には無線で電子機器５１００のバッ
テリーを充電することができるようにしてもよい。
【０１３１】
車などの移動体においては、上述したように様々な利用が考えられ、電子機器５１００は
、そのいろいろな機能を持たせるために多くのセンサや、複数のアンテナが内蔵されるこ
とが望まれる。車などの移動体は、電源を有しているが制限があり、移動体を駆動させる
電力などを考慮すると、電子機器５１００に使用する電力はなるべく少なく抑えることが
好ましく、特に電気自動車などは電子機器５１００が使用する消費電力によって走行距離
が短くなる恐れがある。電子機器５１００にいろいろな機能を持たせても同時に全ての機
能を使用することは少なく、必要に応じて１つの機能または２つの機能だけ使用すること
が多い。機能ごとにバッテリーを用意し、複数のバッテリーを有する電子機器５１００に
いろいろな機能を持たせる場合、使用したい機能だけをオン状態としてそれぞれの機能に
対応するバッテリーから電力を供給することで省電力化が図れる。さらに、複数のバッテ
リーのうち、停止している機能に対応するバッテリーは、車に設けたアンテナから無線充
電することができる。
【０１３２】
また、図５（Ｂ）は、飛行機などの機内で情報端末を操作している例を示す。飛行機など
の機内においては個人の情報端末を使用できる時間などが制限されることもあり、長時間
のフライトである場合には飛行機に備え付けの情報端末が使用できることが望まれる。
【０１３３】
電子機器５２００は、映画やゲームや宣伝などの映像を表示する表示部５２０２を有して
おり、通信機能により現在の飛行位置や、残りの到着時間などをリアルタイムに取得でき
る情報端末である。また、表示部５２０２はタッチ入力機能を有する。
【０１３４】
また、シート５２０１に設けられた凹部に電子機器５２００をはめこみ、電子機器５２０
０と重なる位置にアンテナ設置部５２０３を設け、はめ込んでいる間は無線充電できるよ
うにする。また、電子機器５２００は、使用者が体調不良などを乗務員に連絡したい場合
の電話や連絡ツールとしても機能させることができる。電子機器５２００に翻訳機能など
を持たせておけば、乗務員とは言語の異なる乗員であっても電子機器５２００の表示部５
２０２を用いてコミュニケーションをとることができる。また、隣り合った言語の異なる
乗員同士でも電子機器５２００の表示部５２０２を用いてコミュニケーションをとること
ができる。また、例えば、乗員が寝ている間、表示部５２０２に「起こさないで下さい」
と英語表示させ続ける、など伝言板としても機能させることもできる。
【０１３５】
電子機器５２００は、機能ごとにバッテリーを複数有し、複数のバッテリーを有する電子
機器であり、使用したい機能だけをオン状態とし、使用していない機能をオフ状態とし、
省電力化が図れる。さらに、複数のバッテリーのうち、停止している機能に対応するバッ
テリーは、アンテナ設置部５２０３から無線充電することができる。
【０１３６】
また、機内においては、危険物は持ち込むことが困難であり、小型バッテリーを複数有す
る電子機器５２００は、安全性が高く、例え一つのバッテリーが爆発したとしてもサイズ
が小さいため、被害を最小限に抑えることができる。また、故障、爆発、または破壊によ
って、一つのバッテリーが使えなくなっても他のバッテリーを用いることで電子機器５２
００が有する機能の一部は使用できる。
【０１３７】
また、飛行機の電力系統の異常があった場合、複数のシートにそれぞれある電子機器５２
００の複数のバッテリーを非常用に使用できるように設計してもよい。複数のシートにそ
れぞれある電子機器５２００は全て同じ製品であり、同じ設計であるため、非常用電源と
して直列接続できるようにシステムを構築してもよい。
【０１３８】
電子機器５２００が有する複数の小型バッテリーとしては、リチウムポリマー電池などの
リチウムイオン二次電池、リチウムイオンキャパシタ、電気二重層キャパシタ、レドック
スキャパシタのいずれか一、または複数種用いることができる。
【０１３９】
本実施の形態に示す構成は、他の実施の形態に示す構成と適宜組み合わせて用いること
ができる。
【０１４０】
（実施の形態４）
本実施の形態では、人工臓器の例を示す。
【０１４１】
図６は、ペースメーカの一例を示す断面模式図である。
【０１４２】
ペースメーカ本体５３００は、バッテリー５３０１ａ、５３０１ｂと、レギュレータと、
電源管理回路５３０７と、制御回路と、アンテナ５３０４と、右心房へのワイヤ５３０２
、右心室へのワイヤ５３０３とを少なくとも有している。
【０１４３】
ペースメーカ本体５３００は手術により体内に設置され、二本のワイヤは、人体の鎖骨下
静脈５３０５及び上大静脈５３０６を通過させて一方のワイヤ先端が右心室、もう一方の
ワイヤ先端が右心房に設置されるようにする。
【０１４４】
また、アンテナ５３０４で電力が受信でき、その電力は複数のバッテリー５３０１ａ、５
３０１ｂに充電され、ペースメーカの交換頻度を少なくすることができる。ペースメーカ
本体５３００は複数のバッテリーを有しているため、安全性が高く、一方が故障したとし
てももう一方が機能させることができるため、補助電源としても機能する。また、電源管
理回路５３０７によって一方のバッテリー５３０１ａを非常用電源とし、主としてもう一
方のバッテリー５３０１ｂを使用し、バッテリー５３０１ｂが何かの原因で破壊、消耗し
てしまった場合、バッテリー５３０１ａを用いて外部（例えば使用者の情報端末、近隣の
医療機関）に緊急信号などを送信できることが望ましい。ペースメーカは、何かの原因で
バッテリーが破壊、消耗してしまった場合には使用者に甚大な被害が及ぶ危険性があるた
め、非常用電源を有していることは有用である。また、ペースメーカに設けるバッテリー
をさらに複数に分けて薄型のバッテリーとすれば、ＣＰＵなどを含む制御回路が設けられ
ているプリント基板に搭載し、ペースメーカ本体５３００の小型化や、ペースメーカ本体
５３００の厚さを薄くすることができる。
【０１４５】
また、電力を受信できるアンテナ５３０４とは別に、生理信号を送信できるアンテナを有
していてもよく、例えば、脈拍、呼吸数、心拍数、体温などの生理信号を外部のモニタ装
置で確認できるような心臓活動を監視するシステムを構成してもよい。
【０１４６】
本実施の形態により、小型化や薄型化が実現できれば、ペースメーカ本体５３００を埋め
込んだ場所に生じる凸部を目立たない大きさにすることができる。
【０１４７】
なお、このペースメーカの設置方法も一例であって、心臓疾患に合わせて様々な形態とな
る場合がある。
【０１４８】
また、本実施の形態は、ペースメーカに限定されない。ペースメーカよりも普及している
人工臓器として人工内耳がある。人工内耳は音を電気信号に変え、蝸牛の中に入れた刺激
装置で聴神経を直接刺激する装置である。
【０１４９】
人工内耳は手術で耳の奥などに埋め込む第１の装置と、音をマイクで拾って埋め込んだ第
１の装置へ送る第２の装置とで構成される。第１の装置と第２の装置は電気的には接続さ
れておらず、ワイヤレスで送受信するシステムである。第１の装置は、音を変換した電気
信号を受信するアンテナと、蝸牛に達するワイヤとを少なくとも有している。また、第２
の装置は、音を電気信号に変換するための音声処理部と、その電気信号を第１の装置に送
信する送信回路とを少なくとも有している。
【０１５０】
本実施の形態では、第１の装置と第２の装置の両方に小型のバッテリーを設けることで、
人工内耳の小型化を図ることができる。
【０１５１】
また、人工内耳は小児の段階で手術して埋め込むことが多く、小型化が望まれている。
【０１５２】
本実施の形態により、人工内耳の小型化が実現できれば、人工内耳を埋め込んだ場所に生
じる凸部を目立たない大きさにすることができる。
【０１５３】
本実施の形態に示す構成は、他の実施の形態に示す構成と適宜組み合わせて用いること
ができる。
【０１５４】
（実施の形態５）
本実施の形態では、ウェアラブルな電子機器の例を示す。
【０１５５】
複雑な外形形状の電子機器とする場合、複数の小型のバッテリーを適宜、所定の場所に配
置させることで、電子機器の設計の自由度を上げることができる。図７（Ａ）に示すよう
に電子機器５４００は、円筒形であり、人体に装着するためには、１つのバッテリーより
も複数のバッテリーに分けて適宜配置することで重量感を緩和させることができる。また
、多くの機能を持たせると、待機時のバッテリーの消費が多くなるため、機能ごとにバッ
テリーを用意する。複数のバッテリーを有する電子機器５４００にいろいろな機能を持た
せる場合、使用したい機能だけをオン状態としてそれぞれの機能に対応するバッテリーか
ら電力を供給することで省電力化が図れる。
【０１５６】
図７（Ａ）に示すように電子機器５４００は、左腕の上腕部に位置する服５４０１の上か
ら装着している。服５４０１としては、軍服、防護服、スーツ、制服、宇宙服などの袖の
ある服が挙げられる。装着する方法としては特に限定されないが、上腕部に重なる服に縫
製加工によって縫い付ける方式や、上腕部に重なる服にマジックテープ（登録商標）など
を設けて電子機器５４００を貼り付ける方式、バンドや留め金などで固定する方式、帯状
の板バネで巻きつける方式などがある。
【０１５７】
また、電子機器５４００はアンテナを有しており、電子機器５４００を肌の上から装着し
、無線充電を行っている場合の斜視図を図７（Ｂ）に示す。図７（Ｂ）では、上腕５４０
２に電子機器５４００を装着している。皮膚に接するため、電子機器５４００の肌に触れ
る表面は、肌に優しいフィルムや、皮革、紙、布などの天然素材を用いることが好ましい
。また、５４１２は、電力送信装置であり、電子機器５４００に電波５４１３を用いて無
線で充電を行うことができる。
【０１５８】
また、無線充電は、充電器と電子機器の位置関係によってはうまく充電ができない場合も
ある。電子機器５４００は、複数の送受信部を有しているため、その位置を点在させて配
置すると、充電器に対してどのような向きにしてもいずれか一つの送受信部で電力が受信
できて一つのバッテリーに充電できれば、電源管理回路によって、充電された一つのバッ
テリーから他のバッテリーに充電でき、結果的にすべてのバッテリーを満充電にさせるこ
とができる。特にウェアラブルな電子機器においては、人体に装着したまま充電ができる
ことが望まれており、複数のバッテリー及び複数の送受信部を有し、電源管理回路によっ
て自在に充電できることは有用である。
【０１５９】
また、電力だけでなく、その他の情報も送受信できるアンテナや回路を設けることで、そ
の他の情報も送受信できる。例えば、電子機器５４００をスマートフォンのように用いる
こともできる。
【０１６０】
本実施の形態に示す構成は、他の実施の形態に示す構成と適宜組み合わせて用いること
ができる。
【０１６１】
（実施の形態６）
本実施の形態では、携帯情報端末などのデバイスの例を以下に説明する。
【０１６２】
図８は、デバイス１０のブロック図を示している。
【０１６３】
本実施の形態にかかるデバイス１０は、制御モジュール１５と、表示モジュール２１と、
通信モジュール２６とを有する。制御モジュール１５は、デバイス１０全体の制御と、通
信や、表示部１６への情報の表示を制御するコントローラである。
【０１６４】
制御モジュール１５は、ＣＰＵ１１、バッテリー１２、レギュレータ１３、無線受信部１
４を有する。
【０１６５】
また、表示モジュール２１は、表示部１６、表示駆動回路１９、バッテリー１７、レギュ
レータ１８、無線受信部２０を有する。また、図８では、デバイス１０が表示部１６を有
する例を示したが特に限定されず、表示部１６に代えて他の機能部、例えばセンサ部など
とすることもできる。
【０１６６】
また、通信モジュール２６は、通信回路２２、バッテリー２３、レギュレータ２４、無線
受信部２５を有する。
【０１６７】
各モジュールは、それぞれレギュレータとバッテリーを有している。各レギュレータは、
接続されているバッテリーの電源を使って各機能回路に必要な電力または信号を生成し、
各機能回路に供給する。また、バッテリーへの充電時には、レギュレータは過充電などを
防止することもできる。
【０１６８】
デバイス１０は、それぞれのモジュールを独立してオン状態、或いはオフ状態とすること
ができる。使用するモジュールのみを選択的に駆動させるオペレーションシステムにより
、デバイス１０の省電力化を図ることができる。
【０１６９】
例えば、使用者が通信機能を用いることなく、表示部１６で情報を見る場合、通信モジュ
ール２６においては、通信回路２２への電力を遮断し、バッテリー２３を使わないオフ状
態とし、表示モジュール２１及び制御モジュール１５をオン状態とする。
【０１７０】
さらに、静止画であれば、表示モジュール２１及び制御モジュール１５をオン状態として
表示部１６で静止画を表示させた後、静止画を表示させたまま制御モジュール１５をオフ
状態としても、表示モジュール２１のみをオン状態として静止画を表示し続けることがで
きる。なお、表示部１６のトランジスタがオフ電流の低い酸化物半導体層（例えばＩｎ、
Ｇａ、及びＺｎを含む酸化物材料など）を用いる、または画素ごとにメモリを有する構成
とすれば、静止画表示後にバッテリー１７からの電力供給を遮断しても一定時間の間であ
れば、静止画を表示しつづけることもできる。
【０１７１】
また、本実施の形態では、表示モジュール２１、制御モジュール１５、及び通信モジュー
ル２６がそれぞれバッテリーを有する例を示したが、特に合計３つのバッテリーに限定さ
れず、さらに機能モジュール及びそのバッテリーを加えて４つ以上のバッテリーを有する
電子機器としてもよい。
【０１７２】
図９に電子機器の一例としてバッテリーを４つ有する情報端末の例を示す。
【０１７３】
図９に示す電子機器８０００は、上部カバー８００１と下部カバー８００２との間に、
ＦＰＣ８００３に接続されたタッチパネル８００４、ＦＰＣ８００５に接続された表示パ
ネル８０１６、バックライトユニット８００７、フレーム８００９、プリント基板８０１
０、ＣＰＵ８０１１、バッテリー８０１２ａ、８０１２ｂ、８０１２ｃ、８０１２ｄを有
する。
【０１７４】
上部カバー８００１及び下部カバー８００２は、タッチパネル８００４及び表示パネル
８０１６のサイズに合わせて、形状や寸法を適宜変更することができる。
【０１７５】
タッチパネル８００４は、抵抗膜方式または静電容量方式のタッチパネルを表示パネル
８０１６に重畳して用いることができる。また、表示パネル８０１６の対向基板（封止基
板）に、タッチパネル機能を持たせるようにすることも可能である。また、表示パネル８
０１６の各画素内に光センサを設け、光学式のタッチパネルとすることも可能である。タ
ッチパネル８００４は、プリント基板とＦＰＣ８００３を介して接続されており、そのプ
リント基板には、バッテリー８０１２ａとレギュレータ８０２１と受信部８０１９などを
有している。この受信部８０１９は無線充電用のアンテナを有しており、外部から無線で
供給される電力はレギュレータを介してバッテリー８０１２ａに充電される。このバッテ
リー８０１２ａを主に用いてタッチパネル８００４は駆動する。
【０１７６】
また、表示パネル８０１６は、アクティブマトリクス方式の液晶表示モジュールであり、
プリント基板とＦＰＣ８００５を介して接続されている。このプリント基板には、バッテ
リー８０１２ｂ、レギュレータ８０１８、受信部８０２０などを有している。この受信部
８０２０は無線充電用のアンテナを有しており、外部から無線で供給される電力はレギュ
レータを介してバッテリー８０１２ｂに充電される。このバッテリー８０１２ｂを主に用
いて表示パネル８０１６は表示領域に映像を表示する。
【０１７７】
バックライトユニット８００７は、ＬＥＤなどの光源８００８を有する。また、バック
ライトユニット８００７は、プリント基板とＦＰＣを介して接続されている。このプリン
ト基板には、バッテリー８０１２ｃ、レギュレータ８０１７、受信部８０１５などを有し
ている。
【０１７８】
なお、図９において、バックライトユニット８００７上に光源８００８を配置する構成に
ついて例示したが、これに限定さない。例えば、バックライトユニット８００７の端部に
光源８００８を配置し、さらに光拡散板を用いる構成としてよい。
【０１７９】
なお、バックライトユニット８００７は、表示パネル８０１６が有機ＥＬ素子を用いた
表示装置や、反射型の液晶表示装置の場合、設けない構成としてもよい。バックライトユ
ニット８００７は、例えば、透過型の液晶表示装置、または半透過型の液晶表示装置の場
合、設けられる。
【０１８０】
なお、表示パネル８０１６として、表示素子、表示素子を有する装置である表示装置、
発光素子、及び発光素子を有する装置である発光装置などには、様々な形態を用いること
、又は様々な素子を有することが出来る。
【０１８１】
フレーム８００９は、表示パネル８０１６の保護機能を有する。またフレーム８００９
は、放熱板としての機能を有していてもよい。また、いずれかの受信部のアンテナを内蔵
させてもよい。
【０１８２】
制御部は、プリント基板８０１０上にＣＰＵ８０１１と、バッテリー８０１２ｄ、レギュ
レータ８０１３、受信部８０１４、ビデオ信号及びクロック信号を出力するための信号処
理回路を有する。
【０１８３】
なお、電子機器８０００は、情報端末であるので通信機能として通信モジュールを有して
おり、非接触充電機能を実現する通信モジュールが搭載されている。また、電子機器８０
００は、電話などの行える近距離無線通信機能を実現する通信モジュールを搭載してもよ
い。その場合、通信モジュールも同様にバッテリーを有する構造としてもよい。また、他
の機能を搭載してもよく、例えば、センサ（力、変位、位置、速度、加速度、角速度、回
転数、距離、光、液、磁気、温度、化学物質、音声、時間、硬度、電場、電流、電圧、電
力、放射線、流量、湿度、傾度、振動、におい又は赤外線を測定する機能を含むもの）、
マイクロフォン等を設けてもよい。
【０１８４】
一つの機能回路ごとにそれぞれ１枚のプリント基板を用い、それぞれの機能回路に合わせ
て最適な出力ができるようなレギュレータ及びバッテリーを搭載しており、さらにバッテ
リーと機能回路の距離が近く、引き回し配線を短くすることができるため、省電力化を図
ることができる。
【０１８５】
また、図９ではプリント基板を機能ごとにそれぞれ１枚用い、合計として複数枚用いる例
を示しているが特に限定されず、すべての機能回路を１枚のプリント基板に設けてもよく
、その場合、１枚のプリント基板に複数のバッテリーを設けることとなる。また、複数の
機能をプリント基板１枚にまとめてもよく、その際にバッテリーもまとめて１つとしても
よい。また、図９の表示パネル８０１６、タッチパネル８００４、バックライトユニット
８００７のそれぞれは、図９に図示していない配線コードまたはＦＰＣによって制御部と
電気的に接続する構成である。
【０１８６】
さらに、電子機器８０００は、ＳＩＭカードを挿入するためのスロットや、ＵＳＢメモリ
などＵＳＢデバイスを接続するコネクタ部などを設けてもよい。
【０１８７】
以上に示したように、電子機器８０００は、電子機器に使用するユニット（モジュールや
、機能）ごとにバッテリーを設け、複数の電源を有する電子機器とする。複数の電源を有
する電子機器８０００として、使用する機能のみを選択的に駆動させるオペレーションシ
ステムにより、省電力化を図ることができる。
【０１８８】
また、それぞれのバッテリーには非接触充電機能を実現する通信モジュールを有しており
、複数のバッテリーに対して同時に充電するように制御することができる。
【０１８９】
また、本実施の形態は、外形が箱型の電子機器８０００の例を示したが、特に限定されず
、複雑な外形形状の電子機器とすることもできる。複雑な外形形状の電子機器とする場合
、複数の小型のバッテリーを適宜、所定の場所に配置させることで、電子機器の設計の自
由度を上げることができる。
【０１９０】
本実施の形態に示す構成は、他の実施の形態に示す構成と適宜組み合わせて用いること
ができる。
【符号の説明】
【０１９１】
１０    デバイス
１１    ＣＰＵ
１２    バッテリー
１３    レギュレータ
１４    無線受信部
１５    制御モジュール
１６    表示部
１７    バッテリー
１８    レギュレータ
１９    表示駆動回路
２０    無線受信部
２１    表示モジュール
２２    通信回路
２３    バッテリー
２４    レギュレータ
２５    無線受信部
２６    通信モジュール
１１０    デバイス
１１１    ＣＰＵ
１１２    バッテリー
１１３    レギュレータ
１１４    無線受信部
１１５    制御モジュール
１１６    表示部
１１７    バッテリー
１１８    レギュレータ
１１９    表示駆動回路
１２０    無線受信部
１２１    表示モジュール
１２２    通信回路
１２３    バッテリー
１２４    レギュレータ
１２５    無線受信部
１２６    通信モジュール
１２７    電源管理回路
１２８    無線送信部
１２９    無線送信部
１３０    無線送信部
１１４１    スイッチング素子
１１４２    メモリセル
１１４３    メモリセル群
１１８８    レギュレータ
１１８９    ＲＯＭインターフェース
１１９０    基板
１１９１    ＡＬＵ
１１９２    ＡＬＵコントローラ
１１９３    インストラクションデコーダ
１１９４    インタラプトコントローラ
１１９５    タイミングコントローラ
１１９６    レジスタ
１１９７    レジスタコントローラ
１１９８    バスインターフェース
１１９９    ＲＯＭ
５０００    筐体
５００１    表示部
５００２    表示部
５００３    スピーカ
５００４    ＬＥＤランプ
５００５    操作キー
５００６    接続端子
５００７    センサ
５００８    マイクロフォン
５００９    スイッチ
５０１０    赤外線ポート
５０１１    記録媒体読込部
５０１２    支持部
５０１３    イヤホン
５０１４    アンテナ
５０１５    シャッターボタン
５０１６    受像部
５１００    電子機器
５１０１    表示部
５１０２    表示部
５１０３    ハンドル
５２００    電子機器
５２０１    シート
５２０２    表示部
５２０３    アンテナ設置部
５３００    ペースメーカ本体
５３０１ａ    バッテリー
５３０１ｂ    バッテリー
５３０２    ワイヤ
５３０３    ワイヤ
５３０４    アンテナ
５３０５    鎖骨下静脈
５３０６    上大静脈
５３０７    電源管理回路
５４００    電子機器
５４０１    服
５４０２    上腕
５４１３    電波
８０００    電子機器
８００１    上部カバー
８００２    下部カバー
８００３    ＦＰＣ
８００４    タッチパネル
８００５    ＦＰＣ
８００７    バックライトユニット
８００８    光源
８００９    フレーム
８０１０    プリント基板
８０１１    ＣＰＵ
８０１２ａ    バッテリー
８０１２ｂ    バッテリー
８０１２ｃ    バッテリー
８０１２ｄ    バッテリー
８０１３    レギュレータ
８０１４    受信部
８０１５    受信部
８０１６    表示パネル
８０１７    レギュレータ
８０１８    レギュレータ
８０１９    受信部
８０２０    受信部
８０２１    レギュレータ
８１１４    送受信部
８１１５    送受信部
８１１６    電源管理回路
８１１９    送受信部
８１２０    送受信部
【図１】
2019193567.tif 000003
【図２】
2019193567.tif 000004
【図３】
2019193567.tif 000005
【図４】
2019193567.tif 000006
【図５】
2019193567.tif 000007
【図６】
2019193567.tif 000008
【図７】
2019193567.tif 000009
【図８】
2019193567.tif 000010
【図９】
2019193567.tif 000011
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
第１のカバーと、第２のカバーと、を有し、
前記第１のカバーと、前記第２のカバーと、の間に、表示パネルと、ＣＰＵと、第１のバッテリーと、第２のバッテリーと、を有し、
前記第１のバッテリーは、前記表示パネルに電力を供給する機能を有し、
前記第１のバッテリーは、前記第２のバッテリーに電力を供給する機能を有し、
前記第２のバッテリーは、前記ＣＰＵに電力を供給する機能を有し、
前記第２のバッテリーは、前記第１のバッテリーに電力を供給する機能を有する電子機器。
【請求項２】
請求項１において、
前記第１のカバーと、前記第２のカバーと、の間に、第１のプリント基板と、第２のプリント基板と、を有し、
前記第１のバッテリーは、前記第１のプリント基板に設けられ、
前記ＣＰＵ、及び前記第２のバッテリーは、前記第２のプリント基板に設けられる電子機器。
【請求項３】
請求項２において、
前記表示パネルは、前記第１のプリント基板とＦＰＣを介して接続されている電子機器。
【請求項４】
第１のカバーと、第２のカバーと、を有し、
前記第１のカバーと、前記第２のカバーと、の間に、タッチパネルと、表示パネルと、バックライトユニットと、ＣＰＵと、第１のバッテリーと、第２のバッテリーと、第３のバッテリーと、第４のバッテリーと、を有し、
前記第１のバッテリーは、前記タッチパネルに電力を供給する機能を有し、
前記第１のバッテリーは、前記第２のバッテリー、前記第３のバッテリー、又は前記第４のバッテリーに電力を供給する機能を有し、
前記第２のバッテリーは、前記表示パネルに電力を供給する機能を有し、
前記第２のバッテリーは、前記第１のバッテリー、前記第３のバッテリー、又は前記第４のバッテリーに電力を供給する機能を有し、
前記第３のバッテリーは、前記バックライトユニットに電力を供給する機能を有し、
前記第３のバッテリーは、前記第１のバッテリー、前記第２のバッテリー、又は前記第４のバッテリーに電力を供給する機能を有し、
前記第４のバッテリーは、前記ＣＰＵに電力を供給する機能を有し、
前記第４のバッテリーは、前記第１のバッテリー、前記第２のバッテリー、又は前記第３のバッテリーに電力を供給する機能を有する電子機器。
【請求項５】
請求項４において、
前記第１のカバーと、前記第２のカバーと、の間に、第１のプリント基板と、第２のプリント基板と、第３のプリント基板と、第４のプリント基板と、を有し、
前記第１のバッテリーは、前記第１のプリント基板に設けられ、
前記第２のバッテリーは、前記第２のプリント基板に設けられ、
前記第３のバッテリーは、前記第３のプリント基板に設けられ、
前記ＣＰＵ、及び前記第４のバッテリーは、前記第４のプリント基板に設けられる電子機器。
【請求項６】
請求項５において、
前記タッチパネルは、前記第１のプリント基板と第１のＦＰＣを介して接続され、
前記表示パネルは、前記第２のプリント基板と第２のＦＰＣを介して接続され、
前記バックライトユニットは、前記第３のプリント基板と第３のＦＰＣを介して接続されている電子機器。